【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
複数の金融メッセージの複数の市場参加者へのネットワークを介した通信を管理するためのコンピュータ実施型の方法であって、当該複数の金融メッセージが、前記複数の市場参加者のうちの第１の市場参加者によって受信され読解されることを意図した第１の市場データを含んでいる第１の金融メッセージと、前記第１の金融メッセージに対応していて、前記複数の市場参加者全てによって受信され読解されることを意図した第２の市場データを含んでいる第２の金融メッセージと、を含んでいる、複数の金融メッセージの複数の市場参加者への、ネットワークを介した通信を管理するためのコンピュータ実施型の方法において、
プロセッサによって、前記第１の金融メッセージの前記第１の市場データの少なくとも一部分を難読化する段階であって、前記第１の市場データの前記難読化された部分が、前記第１の市場参加者にとって、当該難読化されたデータを読解可能にするように構成された関連付けられたキーデータ無しには読解不能になるようにする、難読化する段階と、
前記プロセッサによって、前記第１の金融メッセージに対応する前記第２の金融メッセージを、前記関連付けられたキーデータで拡張する段階と、
前記プロセッサによって、前記ネットワークを介して、前記難読化された第１の金融メッセージを前記第１の市場参加者へ、そして前記第２の金融メッセージを前記複数の市場参加者へ、送信する段階と、を備えているコンピュータ実施型の方法。
【請求項２】
前記第１の金融メッセージの前記第１の市場データの少なくとも一部分を難読化する段階は、暗号化アルゴリズムを使用して可読平文を不可読暗号文へ変換する段階を備えている、請求項１に記載のコンピュータ実施型の方法。
【請求項３】
前記関連付けられたキーデータは、強引な解読の企てを、前記第１の金融メッセージの受信と前記第２の金融メッセージの前記複数の市場参加者のうちの少なくとも１人による受信の間の遅延であると決定された時間の長さに亘って食い止めるサイズの暗号化暗号を含む、請求項２に記載のコンピュータ実施型の方法。
【請求項４】
前記第１の金融メッセージの前記第１の市場データの全てが難読化される、請求項１に記載のコンピュータ実施型の方法。
【請求項５】
前記第１の金融メッセージは、前記第１の市場参加者から前に受信されているメッセージへ応えたものである、請求項１に記載のコンピュータ実施型の方法。
【請求項６】
前記第２の金融メッセージの前記拡張する段階は、前記第２の金融メッセージを、当該第２の金融メッセージ中の前記関連付けられたキーデータを前記第１の金融メッセージとリンクさせる識別データを含めるように拡張する段階、を更に備えている、請求項１に記載のコンピュータ実施型の方法。
【請求項７】
前記第１の金融メッセージの一部分は、難読化されておらず、前記第２の金融メッセージ中に保有される識別データを指し示すデータを含む、請求項１に記載のコンピュータ実施型の方法。
【請求項８】
前記関連付けられたキーデータは、前記第１の金融メッセージとの関連付けを指し示す識別子を含む、請求項１に記載のコンピュータ実施型の方法。
【請求項９】
前記第２の金融メッセージは、複数のキーを指し示すデータを更に含む、請求項８に記載のコンピュータ実施型の方法。
【請求項１０】
前記第１の金融メッセージは、確認メッセージ、更新メッセージ、拒絶メッセージ、又はそれらの組合せ、を含む、請求項１に記載のコンピュータ実施型の方法。
【請求項１１】
難読化されたデータを読解可能にさせるように構成されていない少なくとも１つの擬製キーを含む第３のメッセージを生成する段階と、前記第３のメッセージを前記複数の市場参加者へ送信する段階と、を更に備えている、請求項１に記載のコンピュータ実施型の方法。
【請求項１２】
前記第１の金融メッセージ及び前記第２の金融メッセージは、同じ市場活動に対応して生成されるメッセージペアである、請求項１に記載のコンピュータ実施型の方法。
【請求項１３】
複数の金融メッセージの複数の市場参加者へのネットワークを介した通信を管理するためのシステムであって、当該複数の金融メッセージが、前記複数の市場参加者のうちの第１の市場参加者によって受信され読解されることを意図したデータを含んでいる第１の金融メッセージと、前記第１の金融メッセージに対応していて、前記複数の市場参加者全てを対象としたデータを含んでいる第２の金融メッセージと、を含んでいる、複数の金融メッセージの複数の市場参加者へのネットワークを介した通信を管理するためのシステムにおいて、
メモリに記憶されていて、プロセッサによって実行されると、当該プロセッサに、前記第１の金融メッセージの少なくとも一部分を難読化して、前記第１の金融メッセージの前記難読化された部分が、前記第１の市場参加者にとって読解可能にするように構成された関連付けられたキーデータ無しには読解不能にするように構成されている第１のロジックと、
前記メモリに記憶されていて、プロセッサによって実行されると、当該プロセッサに、前記関連付けられたキーデータを含む前記第２の金融メッセージを生成させるように構成されている第２のロジックと、
メモリに記憶されていて、プロセッサによって実行されると、当該プロセッサに、ネットワークを介して、前記第１の金融メッセージを前記第１の市場参加者へ送信させるように構成されている第３のロジックと、
前記メモリに記憶されていて、プロセッサによって実行されると、当該プロセッサに、ネットワークを介して、前記第２の金融メッセージを前記複数の市場参加者へ送信させるように構成されている第４のロジックと、を備えているシステム。
【請求項１４】
前記第１の金融メッセージの少なくとも前記一部分を難読化するように構成されている前記第１のロジックは、暗号化アルゴリズムを使用して可読平文を不可読暗号文へ変換する段階を備えている、請求項１３に記載のシステム。
【請求項１５】
前記暗号化アルゴリズムは、対称キーアルゴリズム又は非対称キーアルゴリズムである、請求項１４に記載のシステム。
【請求項１６】
前記関連付けられたキーデータは、強引な解読の企てを、前記第１の金融メッセージの前記特定の市場参加者による受信と前記第２の金融メッセージの前記複数の市場参加者のうちの少なくとも１人の市場参加者による受信との間の遅延時間であると決定された時間の長さに亘って食い止めるサイズの暗号化暗号である、請求項１４に記載のシステム。
【請求項１７】
前記第２の金融メッセージを生成するように構成されている前記第２のロジックは、前記第２の金融メッセージを、当該第２の金融メッセージ中の前記復号キーを前記第１の金融メッセージと関連付けるために前記第１の市場参加者によって認識可能な識別データで拡張する段階を備えている、請求項１３に記載のシステム。
【請求項１８】
前記関連付けられた復号キーは、前記第１の金融メッセージとの関連付けを指し示す識別子を含む、請求項１３に記載のシステム。
【請求項１９】
前記第２の金融メッセージは、複数の復号キーを指し示すデータを含む、請求項１８に記載のシステム。
【請求項２０】
前記第１の金融メッセージは、確認メッセージ、更新メッセージ、拒絶メッセージ、又はそれらの組合せ、を含む、請求項１３に記載のシステム。
【請求項２１】
前記メモリに記憶されていて、プロセッサによって実行されると、メッセージを復号する機能の無い擬製キーを備える第３のメッセージを生成させるように構成されている第５のロジックを更に備えている、請求項１３に記載のシステム。
【請求項２２】
前記第１の金融メッセージは、前記第１の市場参加者によって提出された前のメッセージへ応えて生成される、請求項１３に記載のシステム。
【請求項２３】
複数の市場参加者への複数のメッセージを生成するためのシステムであって、前記複数のメッセージが、第１の市場参加者によって受信され読解されることを意図したデータを含む第１のメッセージと、前記第１のメッセージに対応しているが前記第１の市場参加者を指し示す表示を含んでいない第２のメッセージと、を含んでいる、複数の市場参加者への複数のメッセージを生成するためのシステムにおいて、
少なくとも一部分が難読化されていて、当該難読化された部分を前記第１の市場参加者にとって読解可能にさせるように構成されている関連付けられたキーデータ無しには当該難読化された部分が読解不能になっている第１のメッセージ、及び前記関連付けられたキーデータを備える前記第２のメッセージを生成するように構成されているメッセージ生成部と、
前記第１のメッセージを前記第１の市場参加者へ、そして前記第２のメッセージを前記複数の市場参加者へ、送信するように構成されているメッセージ送信部と、を備えているシステム。
【請求項２４】
複数の金融メッセージの複数の市場参加者へのネットワークを介した通信を管理するためのシステムであって、当該複数の金融メッセージが、前記複数の市場参加者のうちの第１の市場参加者によって受信され読解されることを意図したデータを含んでいる第１の金融メッセージと、前記第１の金融メッセージに対応していて、前記複数の市場参加者全てを対象としたデータを含んでいる第２の金融メッセージと、を含んでいる、複数の金融メッセージの複数の市場参加者へのネットワークを介した通信を管理するためのシステムにおいて、
前記第１の金融メッセージの少なくとも一部分を難読化するための手段であって、前記第１の金融メッセージの前記難読化された部分が、当該難読化された部分を前記第１の市場参加者にとって読解可能にさせるように構成されている関連付けられたキーデータ無しには読解不能であるようにするための手段と、
前記関連付けられたキーデータを含む前記第２の金融メッセージを生成するための手段と、
前記第１の金融メッセージを前記第１の市場参加者へ送信するための手段と、
前記第２の金融メッセージを前記複数の市場参加者へ送信するための手段と、を備えているシステム。